(57)【要約】【課題】移動しない位置で、かつ隠れない位置に入出力装置を配置できるようにして、入出力装置の使い勝手を向上させる。【解決手段】前後の平板部３１が連続したテーブル面を構成する連続状態と、前後の平板部３１が離隔する離隔状態間で、前後の平板部３１を移動させる移動機構６０ｂと、前後の平板部３１が離隔状態で、前後の平板部３１間の空間を塞ぐ中間平板部３３（第３の平板部）を備えるテーブル装置３０であって、中間平板部３３は、前後の平板部３１が連続したテーブル面を構成しているときに、前後の平板部３１の裏側に重ねられた格納位置に保持されており、中間平板部３３には、格納位置に保持されているときに、前後の平板部３１から露出する露出部位が設けられており、その露出部位に入出力装置３３ｋが設けられている。【選択図】図９
2020203518.tif 000002
【特許請求の範囲】
【請求項１】
第１の平板部と第２の平板部とが連続したテーブル面を構成する連続状態と、前記第１の平板部と第２の平板部とが離隔する離隔状態間で、前記第１の平板部と第２の平板部を移動させる移動機構と、前記第１の平板部と第２の平板部とが離隔状態で、前記第１の平板部と第２の平板部間の空間を塞ぐ第３の平板部を備えるテーブル装置であって、
前記第３の平板部は、前記第１の平板部と第２の平板部とが連続したテーブル面を構成しているときに、前記第１の平板部と第２の平板部との裏側に重ねられた格納位置に保持されており、
前記第３の平板部には、前記格納位置に保持されているときに、前記第１の平板部、及び第２の平板部から露出する露出部位が設けられており、その露出部位に入出力装置が設けられているテーブル装置。
【請求項２】
請求項１に記載されたテーブル装置であって、
前記第１の平板部と第２の平板部とが連続したテーブル面を構成する連続状態のときに、前記第１の平板部と第２の平板部との縁部には切欠部が形成されており、
前記格納位置に保持されている前記第３の平板部の縁部には、前記切欠部の位置で露出する前記露出部位が設けられているテーブル装置。
【請求項３】
請求項２に記載されたテーブル装置であって、
前記第１の平板部と第２の平板部とが予め決められた位置まで離隔すると、前記第３の平板部を前記第１の平板部と第２の平板部とのテーブル面の位置まで押し上げ、さらに前記第３の平板部の端面が前記第１の平板部と第２の平板部との切欠形成面と連続する位置まで前記第３の平板部を移動させる押し上げ機構を備えるテーブル装置。
【請求項４】
請求項３に記載されたテーブル装置であって、
前記押し上げ機構は、四節リンク機構と、その四節リンク機構を動作させる駆動部とを備えているテーブル装置。
【請求項５】
請求項１から請求項４のいずれかに記載されたテーブル装置であって、
前記第３の平板部に設けられた露出部位の入出力装置は、取外し可能な構成のカバーにより覆われているテーブル装置。
【発明の詳細な説明】
【技術分野】
【０００１】
本発明は、複数の平板部によりテーブル面を構成するテーブル装置に関する。
【背景技術】
【０００２】
上記したテーブル装置に関する技術が特許文献１に記載されている。特許文献１に記載のテーブル１１０は、図２３に示すように、乗物用シート１００で使用されるテーブルであり、シートクッション１０２の左側に立設された板状の基台１１３を備えている。基台１１３の上端縁には、基端側平板部１１４の左端が第１ヒンジ機構１２１により上下回動可能な状態で連結されている。また、基端側平板部１１４の右端が中間平板部１１５の左端に第２ヒンジ機構１２２により上下回動可能な状態で連結されている。さらに、中間平板部１１５の右端が先端側平板部１１６の左端に第３ヒンジ機構１２３により上下回動可能な状態で連結されている。なお、第１〜第３ヒンジ機構１２１，１２２，１２３には回動ロック機構（図示省略）が設けられている。
【０００３】
上記構成により、テーブル１１０の基端側平板部１１４と中間平板部１１５と先端側平板部１１６とを水平に展開した状態でテーブルとして使用できるようになる。また、図２３の二点鎖線に示すように、水平な基端側平板部１１４に対して中間平板部１１５を上から重ね、先端側平板部１１６を基台１１３の側面に重ねることで、前記テーブル１１０をアームレストのように使用することができる。
【先行技術文献】
【特許文献】
【０００４】
【特許文献１】特開２０１７−２２２２２１号公報
【発明の概要】
【発明が解決しようとする課題】
【０００５】
上記したテーブル１１０の基端側平板部１１４、又は中間平板部１１５、又は先端側平板部１１６に、例えば、スイッチや表示画面等の入出力装置（図示省略）を設ける場合、テーブルとして展開しているときには入出力装置の使用が可能である。しかし、二点鎖線に示すように、テーブル１１０をアームレストのように使用している場合には、入出力装置が隠れてしまうため、使用が難しくなる。また、入出力装置が中間平板部１１５、又は先端側平板部１１６に設けられていると、テーブル１１０がテーブルとして展開している場合と、畳まれたアームレストの場合とで、入出力装置の位置が変わるため、使い勝手が悪くなる。
【０００６】
本発明は、上記問題点を解決するためになされたものであり、本発明が解決しようとする課題は、移動しない位置で、かつ隠れない位置に入出力装置を配置できるようにして、入出力装置の使い勝手を向上させることである。
【課題を解決するための手段】
【０００７】
上記した課題は、各発明によって解決される。第１の発明は、第１の平板部と第２の平板部とが連続したテーブル面を構成する連続状態と、前記第１の平板部と第２の平板部とが離隔する離隔状態間で、前記第１の平板部と第２の平板部を移動させる移動機構と、前記第１の平板部と第２の平板部とが離隔状態で、前記第１の平板部と第２の平板部間の空間を塞ぐ第３の平板部を備えるテーブル装置であって、前記第３の平板部は、前記第１の平板部と第２の平板部とが連続したテーブル面を構成しているときに、前記第１の平板部と第２の平板部との裏側に重ねられた格納位置に保持されており、前記第３の平板部には、前記格納位置に保持されているときに、前記第１の平板部、及び第２の平板部から露出する露出部位が設けられており、その露出部位に入出力装置が設けられている。
【０００８】
本発明によると、入出力装置は、第３の平板部の露出部位に設けられているため、第３の平板部が格納位置に保持されている場合、及び第３の平板部が第１の平板部と第２の平板部間の空間を塞いでいる場合の双方で使用できるようになる。また、第３の平板部は、移動機構が動作しても移動しないため、入出力装置が移動することがない。
【０００９】
第２の発明によると、第１の平板部と第２の平板部とが連続したテーブル面を構成する連続状態のときに、前記第１の平板部と第２の平板部との縁部には切欠部が形成されており、格納位置に保持されている第３の平板部の縁部には、前記切欠部の位置で露出する前記露出部位が設けられている。
【００１０】
第３の発明によると、第１の平板部と第２の平板部とが予め決められた位置まで離隔すると、第３の平板部を前記第１の平板部と第２の平板部とのテーブル面の位置まで押し上げ、さらに前記第３の平板部の端面が前記第１の平板部と第２の平板部との切欠形成面と連続する位置まで前記第３の平板部を移動させる押し上げ機構を備える。このように、第１の平板部と第２の平板部とのテーブル面と第３の平板部のテーブル面がそろい、さらに第１の平板部と第２の平板部との端面と第３の平板部の端面（切欠形成面）とがそろうため、テーブル面の意匠性が向上する。
【００１１】
第４の発明によると、押し上げ機構は、四節リンク機構と、その四節リンク機構を動作させる駆動部とを備えている。
【００１２】
第５の発明によると、第３の平板部に設けられた露出部位の入出力装置は、取外し可能な構成のカバーにより覆われている。このため、誤操作の防止、及びセキュリティの強化を図ることができる。
【発明の効果】
【００１３】
本発明によると、移動しない位置で、かつ隠れない位置に入出力装置を配置できるようになり、入出力装置の使い勝手が向上する。
【図面の簡単な説明】
【００１４】
【図１】本発明の実施形態１に係るテーブル装置を備える車両の模式斜視図である。
【図２】前記テーブル装置を備える車両の模式斜視図である。
【図３】前記テーブル装置の折り畳み状態を表す斜視図である。
【図４】前記テーブル装置の折り畳み状態において支柱を原位置まで旋回させたときの斜視図である。
【図５】前記テーブル装置の左側の前後の平板部、及び第１天板部と右側の前後の平板部、及び第２天板部とを水平位置まで上回動させた状態を下方から見た斜視図である。
【図６】左側の前後の平板部と右側の前後の平板部とを前後方向にスライドさせて大テーブルにした状態を下方から見た斜視図である。
【図７】前記テーブル装置の左側の角度調整機構を表す斜視図である。
【図８】前記テーブル装置の右側の角度調整機構を表す斜視図である。
【図９】前記左側の前後の平板部、及び第１天板部と右側の前後の平板部、及び第２天板部とを水平位置まで上回動させた状態を上方から見た斜視図である。
【図１０】前記テーブル装置の天板部の左右方向に沿う縦断面図（図９のX-X矢視断面図）である。
【図１１】前記天板部の前後方向に沿う縦断面図（図９のXI-XI矢視断面図）である。
【図１２】左側の前後の平板部と右側の前後の平板部とを前後方向にスライドさせて展開テーブルにした状態を上方から見た斜視図である。
【図１３】前記テーブル装置の天板部の左右方向に沿う縦断面図（図１２のXIII-XIII矢視断面図）である。
【図１４】前記天板部の前後方向に沿う縦断面図（図１２のXIV-XIV矢視断面図）である。
【図１５】前記テーブル装置を大テーブルにする際、中間平板部がフラッパを押し上げる様子を表す斜視図である。
【図１６】前記テーブル装置が大テーブルになった状態における中間平板部とフラッパとの関係を表す斜視図である（図１２のXVI矢視拡大図）。
【図１７】前記テーブル装置をテーブル及びモニターとして使用している状態の斜視図である。
【図１８】前記テーブル装置をテーブル及びモニターとして使用している状態の斜視図である。
【図１９】前記テーブル装置をモニターとして使用している状態の斜視図である。
【図２０】前記テーブル装置をモニターとして使用している状態の斜視図である。
【図２１】前記テーブル装置を長テーブルとして使用している状態の斜視図である。
【図２２】前記テーブル装置を長テーブルとして使用している状態の斜視図である。
【図２３】従来のテーブル装置の展開状態における斜視図である。
【発明を実施するための形態】
【００１５】
［実施形態１］
以下、図１〜図２２に基づいて、本発明の実施形態１に係るテーブル装置について説明する。本実施形態に係るテーブル装置３０は、モニターを備える平板部３１を利用したテーブル装置３０であり、車両の車室内において使用される。ここで、図中に示す前後左右、及び上下は、テーブル装置３０を備える車両の前後左右、及び上下に対応している。
【００１６】
＜車両１０の概要について＞
車両１０は、自動運転が可能な車両である。車両１０には、図１、図２に示すように、例えば、車室内の前部に設けられたダッシュボード１２内にその車両１０の自動運転動作、及びその他の制御動作を行わせるためのコンピュータ（図示省略）が設置されている。車室内には、左右の座席２１，２２が設置されており、各々の座席２１，２２の下側に前後スライド機構、昇降機構、及び回転機構等からなる座席移動装置（図示省略）が設けられている。また、車室内には、図１、図２に示すように、テーブル装置３０が設けられている。ここで、図１は、テーブル装置３０の折り畳み状態を表しており、図２は、テーブル装置３０をテーブルとして使用している状態を表している。なお、図１、図２においては、車室を構成するフロントガラス、ルーフパネル、左右のドア等は省略されている。
【００１７】
＜テーブル装置３０の概要について＞
テーブル装置３０は、図１、図２に示すように、テーブル面として使用できる複数枚（本実施形態では４枚）の角形の平板部３１と、それらの平板部３１を使用形態に応じて姿勢変更、及び位置変更するための平板移動装置４０（後記する）とを備えている。また、平板部３１には、図９等に示すように、それぞれテーブル面となる位置にモニター３２が設けられている。平板部３１のそれぞれのモニター３２は、前記ダッシュボード１２内のコンピュータに対して信号の送受信が可能なように構成されている。そして、ダッシュボード１２、あるいはモニター３２等からの入力信号に基づいて前記コンピュータが動作し、平板移動装置４０が動作することで、４枚の平板部３１が用途に応じて移動するようになる。即ち、テーブル装置３０は、４枚の平板部３１をテーブルとして使用し、あるいはモニターとして使用し、さらに一部をテーブル、その他をモニターとして使用する等、様々な用途に使用できる（図１２、図１７〜図２２参照）。
【００１８】
＜テーブル装置３０における平板移動装置４０の概要について＞
テーブル装置３０における平板移動装置４０は、図３、図４に示すように、車両１０の床部に固定される装置ベース４１と、装置ベース４１に対して左右方向に水平スライド可能なスライド台（図示省略）と、前記スライド台上で水平旋回可能に構成された旋回台４３とを備えている。さらに、前記旋回台４３上には、支柱４５が同軸に立設されており、その支柱４５に昇降機構４７が設けられている。ここで、図４に示す位置、即ち、図３に示す位置から旋回台４３が90°右回転した位置がテーブル装置３０の原位置であり、原位置におけるテーブル装置３０の前後左右及び上下に基づいて平板移動装置４０を構成する機構の配置説明を行う。
【００１９】
昇降機構４７は、支柱４５に沿って昇降する昇降部４７ｙと、支柱４５内に収納されて前記昇降部４７ｙを昇降させる駆動部（図示省略）とを備えている。昇降機構４７の昇降部４７ｙは、図４、図５に示すように、支柱４５の側面から前方、及び後方張り出す略矢羽形の縦板状に形成されている。昇降機構４７の昇降部４７ｙの上端位置には、図５、図６に示すように、その昇降部４７ｙの前端部に第１スライド機構６０ａが設けられており、昇降部４７ｙの後端部に第２スライド機構６０ｂが設けられている。第１スライド機構６０ａは、図９等に示すように、前部左右に配置された平板部３１を前後スライドさせる機構である。また、第２スライド機構６０ｂは、第１スライド機構６０ａと逆方向に動作して、後部左右に配置された平板部３１を前後スライドさせる機構である。
【００２０】
第１スライド機構６０ａと第２スライド機構６０ｂとは単一の駆動部（図示省略）で動作するように構成されている。ここで、駆動部は、一端側に左ネジ、他端側に右ネジが形成されたネジ軸と、ネジ軸を軸心回りに回転させるモータと、左ネジ、右ネジにそれぞれ螺合する第１ナット部、第２ナット部とを備えている。そして、第１ナット部が第１スライド機構６０ａのスライド部材６２に連結されており、第２ナット部が第２スライド機構６０ｂのスライド部材６２に連結されている。このため、前記駆動部が動作することで、図５、図６に示すように、第１スライド機構６０ａのスライド部材６２と第２スライド機構６０ｂのスライド部材６２とは互いに接近し、あるいは互いに離隔するように前後スライドする。
【００２１】
第２スライド機構６０ｂのスライド部材６２の上面には、図５に示すように、左端位置と右端位置とにそれぞれ第１ヒンジ機構６３ａと第２ヒンジ機構６３ｂとが設けられている。そして、第１ヒンジ機構６３ａと第２ヒンジ機構６３ｂによって左後部と右後部の平板部３１の端縁がそれぞれ上下回動可能な状態で連結されている。同様に、第１スライド機構６０ａのスライド部材６２の上面には、左端位置と右端位置とにそれぞれ第１ヒンジ機構（図示省略）と第２ヒンジ機構（図示省略）とが設けられており、第１ヒンジ機構と第２ヒンジ機構によって左前部と右前部の平板部３１の端縁がそれぞれ上下回動可能な状態で連結されている。
【００２２】
左前部の平板部３１と左後部の平板部３１とは、図５、図６に示すように、昇降機構４７の昇降部４７ｙの左側に配置されている第１天板部３５ａによって裏側から支持されている。また、右前部の平板部３１と右後部の平板部３１とは、昇降機構４７の昇降部４７ｙの右側に配置されている第２天板部３５ｂによって裏側から支持されている。そして、第１天板部３５ａは、昇降機構４７の昇降部４７ｙの左側に配置されている第１角度調整機構５０ａによって水平面に対する角度を調整可能に構成されている。また、第２天板部３５ｂは、昇降機構４７の昇降部４７ｙの右側に配置されている第２角度調整機構５０ｂによって水平面に対する角度を調整可能に構成されている。
【００２３】
上記構成により、第１角度調整機構５０ａが動作することで、第１天板部３５ａと、その第１天板部３５ａに支持されている左前部の平板部３１と左後部の平板部３１とが第１ヒンジ機構６３ａのヒンジ軸を中心に上下方向に回動する。即ち、第１天板部３５ａと左側の前後の平板部３１とを下方に回動させて縦向きに格納したり、水平位置まで上回動させてテーブルにしたり、水平面に対して角度調整することが可能になる。また、第２角度調整機構５０ｂが動作することで、第２天板部３５ｂと、その第２天板部３５ｂに支持されている右前部の平板部３１と右後部の平板部３１とが第２ヒンジ機構６３ｂのヒンジ軸を中心に上下方向に回動する。即ち、第２天板部３５ｂと右側の前後の平板部３１とを下方に回動させて縦向きに格納したり、水平位置まで上回動させてテーブルにしたり、水平面に対して角度調整することが可能になる。
【００２４】
さらに、図５、図６に示すように、第１スライド機構６０ａと第２スライド機構６０ｂとが動作することで、前部左右の平板部３１と後部左右の平板部３１とをテーブル面に沿って互いに接近させ、あるいは離隔させることが可能になる。また、昇降機構４７を動作させることで、前後左右の平板部３１と、第１、第２天板部３５ａ，３５ｂと、第１、第２角度調整機構５０ａ，５０ｂと、第１、第２スライド機構６０ａ，６０ｂとを昇降させることができる。また、旋回台４３が旋回することで、支柱４５が軸心回りに回転し、テーブル装置３０の向きを調整できる。さらに、旋回台４３を支えるスライド台が装置ベース４１に対して左右方向にスライドすることで車室内のテーブル装置３０の位置を変えることができる。
【００２５】
＜第１、第２角度調整機構５０ａ，５０ｂの具体的な構成について＞
第１角度調整機構５０ａは、図７に示すように、第１天板部３５ａの左右方向中央部を押し上げ、あるいは引き下げることで、第１天板部３５ａを前後の平板部３１を介して第１ヒンジ機構６３ａのヒンジ軸を中心に上下回動させる。第１角度調整機構５０ａは、第１Ｈ形リンク５１と、その第１Ｈ形リンク５１の前下端部５１ｆを昇降機構４７の昇降部４７ｙに対して昇降させる前側駆動部５２と、第１Ｈ形リンク５１の後下端部５１ｅを昇降部４７ｙに対して上下スライド可能にガイドする後側ガイド部５４とを備えている。前側駆動部５２は、支柱４５に対して前方に張り出した昇降部４７ｙの前部に立設されたネジ軸５２ｂと、ネジ軸５２ｂに螺合するナット部５２ｎとを備えている。ネジ軸５２ｂは、モータ（図示省略）の回転力を受けて軸心回りに回転可能に構成されている。また、ナット部５２ｎは、図７、図８に示すように、第１Ｈ形リンク５１の前下端部５１ｆに連結されている。
【００２６】
第１角度調整機構５０ａの後側ガイド部５４は、図７に示すように、支柱４５に対して後方に張り出した昇降部４７ｙの後部に立設されたレール部５４ｙと、レール部５４ｙに沿って摺動可能に構成された摺動子５４ｓを備えている。そして、摺動子５４ｓが第１Ｈ形リンク５１の後下端部５１ｅに連結されている。また、第１Ｈ形リンク５１の前上端部５１ｕと後上端部５１ｖとはそれぞれ上下回動可能な状態で第１天板部３５ａの左右方向中央部に連結されている。上記構成により、前側駆動部５２のモータが駆動してネジ軸５２ｂが回転すると、ナット部５２ｎがネジ軸５２ｂの軸方向（上下方向）に移動し、第１Ｈ形リンク５１の前下端部５１ｆと後下端部５１ｅとが昇降するようになる。これにより、第１天板部３５ａが第１ヒンジ機構６３ａのヒンジ軸を中心に上下回動して、第１天板部３５ａと前後の平板部３１との角度調整を行なえるようになる。
【００２７】
第２角度調整機構５０ｂは、図８に示すように、第２天板部３５ｂの左右方向中央部を押し上げ、あるいは引き下げることで、前後の平板部３１を介して第２天板部３５ｂを第２ヒンジ機構６３ｂのヒンジ軸を中心に上下回動させる機構である。第２角度調整機構５０ｂは、第２Ｈ形リンク５５と、その第２Ｈ形リンク５５の後下端部５５ｅを昇降機構４７の昇降部４７ｙに対して昇降させる後側駆動部５６と、第２Ｈ形リンク５５の前下端部５１ｆを昇降部４７ｙに対して上下スライド可能にガイドする前側ガイド部５８とを備えている。後側駆動部５６は、支柱４５に対して後方に張り出した昇降部４７ｙの後部に立設されたネジ軸５６ｂと、ネジ軸５６ｂに螺合するナット部５６ｎとを備えている。ネジ軸５６ｂは、モータ（図示省略）の回転力を受けて軸心回りに回転可能に構成されており、第１角度調整機構５０ａの後側ガイド部５４の後方に配置されている。ナット部５６ｎは、図７、図８に示すように、第２Ｈ形リンク５５の後下端部５５ｅに連結されている。
【００２８】
第２角度調整機構５０ｂの前側ガイド部５８は、図８に示すように、支柱４５に対して前方に張り出した昇降部４７ｙの前部に立設されたレール部（図示省略）と、レール部に沿って摺動可能に構成された摺動子５８ｓを備えている。そして、摺動子５８ｓが第２Ｈ形リンク５５の前下端部５５ｆに連結されている。ここで、第２角度調整機構５０ｂの前側ガイド部５８は、第１角度調整機構５０ａの前側駆動部５２の後方に配置されている。第２Ｈ形リンク５５の前上端部５５ｕと後上端部５５ｖとはそれぞれ上下回動可能な状態で第２天板部３５ｂに設けられた左右スライド部５９に連結されている。
【００２９】
上記構成により、後側駆動部５６のモータが駆動してネジ軸５６ｂが回転すると、ナット部５６ｎがネジ軸５６ｂの軸方向（上下方向）に移動し、第２Ｈ形リンク５５の後下端部５５ｅと前下端部５５ｆとが昇降するようになる。これにより、第２天板部３５ｂが第２ヒンジ機構６３ｂのヒンジ軸を中心に上下回動して、第２天板部３５ｂと前後の平板部３１との角度調整を行なえるようになる。さらに、左右スライド部５９の働きで、第２天板部３５ｂに対する第２Ｈ形リンク５５の前上端部５５ｕと後上端部５５ｖとの連結位置が左右方向に移動することで、第２天板部３５ｂ等の角度調整範囲が広くなる。このように、第１角度調整機構５０ａの前側駆動部５２、後側ガイド部５４と、第２角度調整機構５０ｂの前側ガイド部５８、後側駆動部５６は前後にずれた状態で配置されているため、昇降機構４７の昇降部４７ｙの厚み寸法を小さくできる。
【００３０】
＜第１、第２天板部３５ａ，３５ｂの具体的な構成について＞
第１天板部３５ａは、図５、図６等に示すように、昇降機構４７の昇降部４７ｙの左側に配置された角板状の部材であり、同じく昇降部４７ｙの左側に配置された前後の平板部３１を裏側から支持する。第２天板部３５ｂは、昇降機構４７の昇降部４７ｙの右側に配置されて、第１天板部３５ａと左右対称に形成された部材であり、昇降部４７ｙの右側に配置された前後の平板部３１を裏側から支持する。第１天板部３５ａと第２天板部３５ｂとは等しい構成のため、図９〜図１４に基づき、代表して第１天板部３５ａの構成について説明する。
【００３１】
第１天板部３５ａの平板部支持面３５ｕ（上面３５ｕ）には、図１０（図９のX-X断面図）、図１１（図９のXI-XI断面図）に示すように、前部の左右両側に第１スライド機構６０ａの左右一対の摺動子６５ａが固定されている。また、第１天板部３５ａの上面３５ｕの後部には、同じく左右両側に第２スライド機構６０ｂの左右一対の摺動子６５ｂが固定されている。第１スライド機構６０ａの左右一対の摺動子６５ａには、図１１に示すように、前側の平板部３１の裏面に固定された左右一対のスライドレール６４がそれぞれ前後スライド可能な状態で嵌合している。また、第２スライド機構６０ｂの左右一対の摺動子６５ｂには、後側の平板部３１の裏面に固定された左右一対のスライドレール６４がそれぞれ前後スライド可能な状態で嵌合している。即ち、前後の平板部３１は、第１スライド機構６０ａ、第２スライド機構６０ｂの摺動子６５ａ，６５ｂ、及びスライドレール６４を介して第１天板部３５ａに前後スライド可能な状態で支持されている。
【００３２】
また、第１天板部３５ａの上面３５ｕには、図１１に示すように、前後の平板部３１の下側に形成された空間内に中間平板部３３が収納されている。中間平板部３３は、前後の平板部３１が互いに離隔する方向に前後スライドした際に、図１４に示すように、前後の平板部３１間の空間を塞ぐ平板である。中間平板部３３は、角板状に形成されており、図１０、図１１に示すように、その角板状の中間平板部３３の前端部と後端部とが四節リンク機構７０を介して第１天板部３５ａに連結されている。
【００３３】
四節リンク機構７０は、図１０、及び図１３に示すように、中間平板部３３を前後の平板部３１の下側の空間からそれらの平板部３１の表面（テーブル面）と同じ高さ位置まで押し上げるための機構である。四節リンク機構７０は、左リンク７２と右リンク７４とを備えている。左リンク７２と右リンク７４との基端部はそれぞれ第１天板部３５ａに上下回動可能な状態で連結されており、左リンク７２と右リンク７４との先端部がそれぞれ中間平板部３３の端縁に上下回動可能な状態で連結されている。右リンク７４の基端部には、回転中心と同軸に部分歯車（図番省略）が形成されており、その部分歯車に対して駆動部（図示省略）の出力歯車７５が噛合している。
【００３４】
上記構成により、四節リンク機構７０の前記駆動部の動作により、図１０に示すように、左リンク７２と右リンク７４とが左回動限位置にある状態では、中間平板部３３は第１天板部３５ａの上面３５ｕに重なる下限位置に保持されている。この状態で、前記駆動部の出力歯車７５が回転して右リンク７４が右回動すると、左リンク７２が中間平板部３３を介して右リンク７４に引っ張られて右回動する。この結果、中間平板部３３は水平に上昇しつつ、右方向（中央方向）に移動する。そして、図１３に示すように、中間平板部３３が前後の平板部３１の表面と同じ高さ位置（上限位置）まで上昇した段階で前記駆動部が停止する。
【００３５】
＜平板部３１及び中間平板部３３について＞
前後左右の四枚の平板部３１は、図９等に示すように、等しい構成で左右対称に形成されている。また、前後の平板部３１は前後対称に形成されている。このため、代表して左側の平板部３１について構成を説明する。平板部３１は、図９、図１０等に示すように、平板本体部３１０と、その平板本体部３１０の右端位置で約45°下方に曲げられた状態の傾斜板部３１２と、傾斜板部３１２の表面に重ねられた状態の帯板状のフラッパ３１３とを備えている。平板部３１の平板本体部３１０の表面には、モニター収納凹部（図番省略）が形成されており、そのモニター収納凹部にモニター３２が嵌め込まれている。また、前側の平板部３１における平板本体部３１０の左端縁の後部と後側の平板部３１における平板本体部３１０の左端縁の前部とには、図９に示すように、互いに連続する緩やかな切欠部３１０ｃが形成されている。そして、前後の平板本体部３１０の切欠部３１０ｃにより前後の平板部３１の下側に収納された中間平板部３３の左端縁中央が露出している。
【００３６】
前後の平板部３１は、傾斜板部３１２の端縁が、図１０等に示すように、スライド部材６２の上面に設けられた第１ヒンジ機構６３ａに連結されている。ここで、平板部３１に傾斜板部３１２が設けられていることにより、例えば、左側の平板部３１が水平な状態で、右側の平板部３１を水平な状態からさらに上方回動させる際、左右の平板部３１の回転中心側が互いに干渉しなくなる（図１７参照）。フラッパ３１３は、図１０、図１３に示すように、平板部３１の平板本体部３１０と傾斜板部３１２との境界位置に上下回動が可能な状態で連結されている。フラッパ３１３は、図１３に示すように、左右の平板部３１の平板本体部３１０が水平な位置まで回動した状態で、傾斜板部３１２を跨ぎ、左右の平板本体部３１０間の隙間を塞ぐ働きをする。
【００３７】
中間平板部３３は、上記したように、前後の平板部３１間の空間を塞ぐ平板であり、図９、図１２等に示すように、端縁中央にスイッチや表示画面等の入出力装置３３ｋを備えている。ここで、中間平板部３３の入出力装置３３ｋは、図９に示すように、前後の平板本体部３１０の切欠部３１０ｃから露出する位置に設けられている。また、中間平板部３３の前端面と後端面とには、図１５、図１６に示すように、四節リンク機構７０の働きで中間平板部３３が上昇しつつ中央方向に移動する際、フラッパ３１３をテーブル面の位置まで押し上げる押し上げピン３３ｐが突出形成されている。なお、図１５、図１６には、中間平板部３３の前端面の押し上げピン３３ｐのみが記載されている。
【００３８】
＜テーブル装置３０の使用態様について＞
＜大テーブル＞
図４に示すように、原位置で折り畳まれた状態のテーブル装置３０を、図１２に示すように、展開した大テーブルとして使用する場合には、ダッシュボード１２、あるいは平板部３１のモニター３２、あるいは中間平板部３３の入出力装置３３ｋを操作する。これにより、平板移動装置４０の第１角度調整機構５０ａと第２角度調整機構５０ｂとが動作する。即ち、第１角度調整機構５０ａの前側駆動部５２と後側ガイド部５４とが、図７に示すように、第１Ｈ形リンク５１の前下端部５１ｆと後下端部５１ｅとを上昇させることで、第１Ｈ形リンク５１の前上端部５１ｕと後上端部５１ｖとが第１天板部３５ａを押し上げる。これにより、第１天板部３５ａと、第１天板部３５ａに支持されている左側の前後の平板部３１が、図５に示すように、スライド部材６２の第１ヒンジ機構６３ａのヒンジ軸を中心に上動する。
【００３９】
また、第２角度調整機構５０ｂの後側駆動部５６と前側ガイド部５８とが、図８に示すように、第２Ｈ形リンク５５の前下端部５５ｆと後下端部５５ｅとを上昇させることで、第２Ｈ形リンク５５の前上端部５５ｕと後上端部５５ｖとが第２天板部３５ｂを押し上げる。これにより、第２天板部３５ｂと、第２天板部３５ｂに支持されている右側の前後の平板部３１が、図５に示すように、スライド部材６２の第２ヒンジ機構６３ｂのヒンジ軸を中心に上動する。そして、図９に示すように、左右の平板部３１の平板本体部３１０が水平になった状態で第１角度調整機構５０ａと第２角度調整機構５０ｂとの動作が停止する。ここで、テーブル面の高さ調整が必要な場合には、平板移動装置４０の昇降機構４７の昇降部４７ｙが上下動してテーブル面の高さ調整が行われる。また、平板移動装置４０の旋回台４３を水平回動させることでテーブルの向きを調整できる。
【００４０】
次に、平板移動装置４０の第１スライド機構６０ａと第２スライド機構６０ｂとの駆動部が動作する。これにより、図６に示すように、第１スライド機構６０ａのスライド部材６２と第２スライド機構６０ｂのスライド部材６２とが互いに離隔するようにスライドする。即ち、第１スライド機構６０ａのスライド部材６２が前方にスライドし、第２スライド機構６０ｂのスライド部材６２が後方にスライドする。これにより、第１スライド機構６０ａのスライド部材６２と第１ヒンジ機構６３ａ、第２ヒンジ機構６３ｂを介して連結されている左右前部の平板部３１が第１天板部３５ａ、第２天板部３５ｂに対して前方にスライドする。また、第２スライド機構６０ｂのスライド部材６２と第１ヒンジ機構６３ａ、第２ヒンジ機構６３ｂを介して連結されている左右後部の平板部３１が第１天板部３５ａ、第２天板部３５ｂに対して後方にスライドする（図６、図１２参照）。そして、前側の平板部３１と後側の平板部３１とが所定距離（中間平板部３３よりも広いサイズ）だけ離れた状態で、第１スライド機構６０ａと第２スライド機構６０ｂとの駆動部が停止する。
【００４１】
次に、第１天板部３５ａと第２天板部３５ｂとの四節リンク機構７０の駆動部が動作することで、図１３、図１４に示すように、下限位置にある中間平板部３３が前後の平板部３１のテーブル面と同じ高さ位置まで上昇する。即ち、左側の第１天板部３５ａでは、四節リンク機構７０の駆動部の動作により、右リンク７４が右回動し、左リンク７２が中間平板部３３を介して右リンク７４に引っ張られて右回動する。この結果、中間平板部３３は水平に上昇しつつ、右方向（中央方向）に移動する。また、右側の第２天板部３５ｂでは、四節リンク機構７０の駆動部の動作により、中間平板部３３は水平に上昇しつつ、左方向（中央方向）に移動する。ここで、中間平板部３３が水平に上昇しつつ、中央方向に移動することで、中間平板部３３の押し上げピン３３ｐが、図１５、図１６に示すように、平板部３１のフラッパ３１３を水平な位置まで押し上げる。これにより、図１２に示すように、左右の平板部３１の平板本体部３１０間の隙間が塞がれる。なお、この段階では、前後の平板部３１と中間平板部３３との間には、一定の隙間が存在している。
【００４２】
ここで、中間平板部３３は、四節リンク機構７０の働きにより、水平に上昇しつつ、中央方向に移動するため、図１２に示すように、左側の中間平板部３３の入出力装置３３ｋ側の左端面は前後の平板部３１の切欠部３１０ｃの左端面（切欠形成面）と連続するようになる。また、右側の中間平板部３３の入出力装置３３ｋ側の右端面は前後の平板部３１の切欠部３１０ｃの右端面と連続するようになる。次に、第１スライド機構６０ａと第２スライド機構６０ｂとが互いのスライド部材６２を接近させる方向に動作することで、前後の平板部３１の端面が中間平板部３３の端面に当接し、前後の平板部３１と中間平板部３３間の隙間が塞がれて、テーブル装置３０は、図１２に示すように、展開した大テーブルとなる。
【００４３】
＜テーブル及びモニターとしての使用＞
テーブル装置３０を、図１７に示すように、テーブル及びモニターとして使用する場合には、図９に示すように、左右の平板部３１の平板本体部３１０が水平になった状態で、さらに、第２角度調整機構５０ｂが動作する。即ち、第２角度調整機構５０ｂの左右スライド部５９（図８参照）が動作して、第２Ｈ形リンク５５の前上端部５５ｕと後上端部５５ｖとが左方向（中央方向）に移動する。これにより、第２Ｈ形リンク５５がさらに起立する方向に回動し、第２天板部３５ｂと、第２天板部３５ｂに支持されている右側の前後の平板部３１がスライド部材６２の第２ヒンジ機構６３ｂ（図６参照）のヒンジ軸を中心に上動する。これにより、テーブル装置３０を、図１７に示すように、テーブル及びモニターとして使用できる。なお、モニター３２を車両１０の左右方向に並べて配置したい場合には、平板移動装置４０の旋回台４３を水平回動させることで調整が可能である。また、平板移動装置４０の第１スライド機構６０ａと第２スライド機構６０ｂ、及び四節リンク機構７０を動作させることで、図１８に示すように、テーブル及びモニターを展開した状態で使用することが可能になる。
【００４４】
＜モニターとしての使用＞
テーブル装置３０を、図１９に示すように、モニターとして使用することもできる。即ち、第１角度調整機構５０ａと第２角度調整機構５０ｂとにより、左右の平板部３１の傾斜角度を等しくすることで、前後左右の平板部３１を全てモニター３２として使用することができる。なお、モニター３２の向きは、平板移動装置４０の旋回台４３を水平回動させることで調整が可能である。また、平板移動装置４０の第１スライド機構６０ａと第２スライド機構６０ｂ、及び四節リンク機構７０を動作させることで、図２０に示すように、モニター３２を展開した状態で使用することが可能になる。
【００４５】
＜長テーブルとしての使用＞
テーブル装置３０を、図２１に示すように、長テーブルとして使用することもできる。即ち、第１角度調整機構５０ａと第２角度調整機構５０ｂとにより、左右の平板部３１の一方を水平な位置まで回動させ、他方を格納位置保持することで、テーブル装置３０を長テーブルとして使用できる。なお、平板移動装置４０の旋回台４３を水平回動させることで、テーブルの長さ方向の向きを調整することができる。また、平板移動装置４０の第１スライド機構６０ａと第２スライド機構６０ｂ、及び四節リンク機構７０を動作させることで、図２２に示すように、長テーブルをさらに長さ方向に展開して使用することが可能になる。
【００４６】
＜実施形態１に係るテーブル装置３０の用語と本発明に係る用語との対応＞
テーブル装置３０の第１スライド機構６０ａと第２スライド機構６０ｂとが本発明の移動機構に相当する。また、前後の平板部３１が本発明の第１の平板部と第２の平板部とに相当し、中間平板部３３が本発明の第３の平板部に相当する。また、前後の平板本体部３１０の切欠部３１０ｃに重なる中間平板部３３の左端縁中央が本発明の第３の平板部の露出部位に相当する。また、四節リンク機構７０が本発明の押し上げ機構に相当する。
【００４７】
＜本実施形態に係るテーブル装置３０の長所について＞
本実施形態に係るテーブル装置３０によると、入出力装置３３ｋは、中間平板部３３（第３の平板部）の露出部位に設けられている。このため、入出力装置３３ｋは、中間平板部３３が格納位置に保持されている場合、及び中間平板部３３が前側の平板部３１と後側の平板部３１間の空間を塞いでいる場合の双方で使用できるようになる。また、中間平板部３３は、第１スライド機構６０ａと第２スライド機構６０ｂ（移動機構）が動作しても移動しないため、入出力装置３３ｋが前後方向に移動することがない。
【００４８】
また、中間平板部３３は、四節リンク機構７０の働きにより水平に上昇しつつ、中央方向に移動して、中間平板部３３のテーブル面が前後の平板部３１のテーブル面にそろい、また中間平板部３３の端面（左端面）が前後の平板部３１の切欠形成面（左端面）とそろうようになる（連続するようになる）。このため、大テーブルとして展開した状態のテーブル装置３０の意匠性が向上する。
【００４９】
＜変更例＞
ここで、本発明は上記実施形態に限定されるものではなく、本発明の要旨を逸脱しない範囲における変更が可能である。例えば、本実施形態のテーブル装置３０では、中間平板部３３の露出部位に入出力装置３３ｋを設ける例を示した。しかし、中間平板部３３の露出部位に設けられた入出力装置３３ｋを、例えば、透明な鍵付きカバーで覆う構成でも可能である。これにより、セキュリティの強化を図ることができる。また、本実施形態のテーブル装置３０では、前後の平板部３１の端縁に切欠部３１０ｃを設け、この切欠部３１０ｃと重なる位置に中間平板部３３の露出部位を設ける例を示した（図９等参照）。しかし、前後の平板部３１の端縁に切欠部３１０ｃを設けず、例えば、中間平板部３３の端縁（左端縁）を前後の平板部３１の端縁（左端縁）から左方向に突出するように形成し、この部分を露出部位とすることも可能である。なお、中間平板部３３の端縁の突出寸法を調整することで、四節リンク機構７０により中間平板部３３を前後の平板部３１の高さまで上昇させる際、中間平板部３３の左端面と前後の平板部３１の左端面とをそろえることが可能になる。
【００５０】
また、本実施形態では、入出力装置３３ｋの全体が見えるように、その入出力装置３３ｋを中間平板部３３（第３の平板部）の露出部位に設ける例を示した。しかし、入出力装置３３ｋの一部を中間平板部３３（第３の平板部）の露出部位に設け、入出力装置３３ｋの他部を露出部位から外れた位置に設けることも可能である。これにより、入出力装置３３ｋの他部は、前後の平板部３１（第１の平板部、第２の平板部）が連続状態のときに、前後の平板部３１に隠れて外部から見えなくなる。即ち、入出力装置３３ｋが部分的に外から見えなくなることで、セキュリテイの向上を図ることができる。
【００５１】
また、本実施形態のテーブル装置３０では、モニター３２を備える平板部３１を使用する例を示したが、モニター３２を備えない平板部３１を使用することも可能である。また、四枚の平板部３１を使用する例を示したが、平板部３１の枚数は適宜変更可能である。また、本実施形態では、モニター３２を備えない中間平板部３３を例示したが、モニター３２を備える中間平板部３３を使用することも可能である。さらに、本実施形態では、自動運転可能な車両１０に使用されるテーブル装置３０を例示したが、電車、船、旅客機等の乗物にテーブル装置３０を使用することも可能である。また、通常の家具のように、テーブル装置３０を使用することも可能である。
【符号の説明】
【００５２】
３０・・・・テーブル装置
３１・・・・平板部（第１の平板部と第２の平板部）
３３・・・・中間平板部（第３の平板部）
３３ｋ・・・入出力装置
６０ａ・・・第１スライド機構（移動機構）
６０ｂ・・・第２スライド機構（移動機構）
７０・・・・四節リンク機構（押し上げ機構）
【図１】
2020203518.tif 000003
【図２】
2020203518.tif 000004
【図３】
2020203518.tif 000005
【図４】
2020203518.tif 000006
【図５】
2020203518.tif 000007
【図６】
2020203518.tif 000008
【図７】
2020203518.tif 000009
【図８】
2020203518.tif 000010
【図９】
2020203518.tif 000011
【図１０】
2020203518.tif 000012
【図１１】
2020203518.tif 000013
【図１２】
2020203518.tif 000014
【図１３】
2020203518.tif 000015
【図１４】
2020203518.tif 000016
【図１５】
2020203518.tif 000017
【図１６】
2020203518.tif 000018
【図１７】
2020203518.tif 000019
【図１８】
2020203518.tif 000020
【図１９】
2020203518.tif 000021
【図２０】
2020203518.tif 000022
【図２１】
2020203518.tif 000023
【図２２】
2020203518.tif 000024
【図２３】
2020203518.tif 000025